(57)【要約】【課題】ＡＣＳモードで読み取った結果でモノクロと判断された場合、２値化データ、グレイスケールデータのいずれで処理するかを利用目的などに柔軟に対応して処理することのできる画像形成装置、画像形成方法及びプログラムを提供する。【解決手段】  原稿を画像として読み取って画像データを取得する取得ステップ（Ｓ０１）と、前記画像データを多値グレイスケールデータまたは２値データのいずれとして処理するかを原稿の読取開始前に指定可能とするモノクロ指定ステップと、読み取った原稿がカラーかモノクロかを判別する判別ステップ（Ｓ０２）と、前記判別ステップで読み取った原稿をモノクロと判別した場合に、前記画像データを前記モノクロ指定ステップで指定したデータとして処理するモノクロデータ処理ステップ（Ｓ０３、Ｓ０５、０６）とを備えた画像形成方法である。【選択図】  図４
2007266921.tif 000002
【特許請求の範囲】
【請求項１】
原稿を画像として読み取って画像データを取得する取得手段と、
前記画像データを多値グレイスケールデータまたは２値データのいずれとして処理するかを原稿の読取開始前に指定可能とするモノクロ指定手段と、
読み取った原稿がカラーかモノクロかを判別する判別手段と、
前記判別手段が読み取った原稿をモノクロと判別した場合に、前記画像データを前記モノクロ指定手段が指定したデータとして処理するモノクロデータ処理手段と
を備えたことを特徴とする画像形成装置。
【請求項２】
原稿から読み取った画像データの利用目的を指定する利用目的指定手段を更に備え、
前記モノクロデータ処理手段は、指定された利用目的が所定の利用目的である場合に、前記画像データを前記モノクロ指定手段が指定したデータとして処理することを特徴とする請求項１に記載の画像形成装置。
【請求項３】
前記モノクロデータ処理手段は、
前記利用目的が複数指定された場合は、その利用目的毎にモノクロの前記画像データの処理を繰り返して実行することを特徴とする請求項２に記載の画像形成装置。
【請求項４】
原稿を画像として読み取って画像データを取得する取得手段と、
原稿から読み取った画像データの利用目的を指定する利用目的指定手段と、
読み取った原稿がカラーかモノクロかを判別する判別手段と、
前記判別手段が読み取った原稿をモノクロと判別した場合に、指定された利用目的に対応して前記画像データを多値グレイスケールデータまたは２値データのいずれとして処理するかを決定して処理するモノクロデータ処理手段と
を備えたことを特徴とする画像形成装置。
【請求項５】
前記モノクロデータ処理手段は、
前記利用目的が複数指定された場合は、その利用目的毎にモノクロの前記画像データの処理を繰り返して実行することを特徴とする請求項４に記載の画像形成装置。
【請求項６】
原稿を画像として読み取って画像データを取得する取得手段と、
前記画像データを多値グレイスケールデータまたは２値データのいずれとして処理するかを原稿の読取開始前に指定可能とするモノクロ指定手段と、
原稿から読み取った画像データの利用目的を指定する利用目的指定手段と、
読み取った原稿がカラーかモノクロかを判別する判別手段と、
前記判別手段が読み取った原稿をモノクロと判別した場合で、指定された利用目的が所定の利用目的である場合は、その利用目的に対応して前記画像データを多値グレイスケールデータまたは２値データのいずれとして処理するかを決定して処理する第１のモノクロデータ処理手段と
前記判別手段が読み取った原稿をモノクロと判別した場合で、指定された利用目的が前記所定の利用目的と異なる場合は、前記画像データを前記モノクロ指定手段が指定したデータとして処理する第２のモノクロデータ処理手段と
を備えたことを特徴とする画像形成装置。
【請求項７】
原稿を画像として読み取って画像データを取得する取得手段と、
読み取った原稿がカラーかモノクロかを判別する判別手段と、
読み取った原稿に含まれるテキストデータと写真データのそれぞれの割合を解析するレイアウト解析手段と、
前記判別手段が読み取った原稿をモノクロと判別した場合に、前記レイアウト解析した結果の前記割合に基づいて、前記画像データを多値グレイスケールデータまたは２値データのいずれとして処理するかを決定して処理するモノクロデータ処理手段と
を備えたことを特徴とする画像形成装置。
【請求項８】
原稿を画像として読み取って画像データを取得する取得ステップと、
前記画像データを多値グレイスケールデータまたは２値データのいずれとして処理するかを原稿の読取開始前に指定可能とするモノクロ指定ステップと、
読み取った原稿がカラーかモノクロかを判別する判別ステップと、
前記判別ステップで読み取った原稿をモノクロと判別した場合に、前記画像データを前記モノクロ指定ステップで指定したデータとして処理するモノクロデータ処理ステップと
を備えたことを特徴とする画像形成方法。
【請求項９】
原稿から読み取った画像データの利用目的を指定する利用目的指定ステップを更に備え、
前記モノクロデータ処理ステップは、指定された利用目的が所定の利用目的である場合に、前記画像データを前記モノクロ指定ステップで指定したデータとして処理することを特徴とする請求項８に記載の画像形成方法。
【請求項１０】
前記モノクロデータ処理ステップは、
前記利用目的が複数指定された場合は、その利用目的毎にモノクロの前記画像データの処理を繰り返して実行することを特徴とする請求項９に記載の画像形成方法。
【請求項１１】
原稿を画像として読み取って画像データを取得する取得ステップと、
原稿から読み取った画像データの利用目的を指定する利用目的指定ステップと、
読み取った原稿がカラーかモノクロかを判別する判別ステップと、
前記判別ステップで読み取った原稿をモノクロと判別した場合に、指定された利用目的に対応して前記画像データを多値グレイスケールデータまたは２値データのいずれとして処理するかを決定して処理するモノクロデータ処理ステップと
を備えたことを特徴とする画像形成方法。
【請求項１２】
前記モノクロデータ処理ステップは、
前記利用目的が複数指定された場合は、その利用目的毎にモノクロの前記画像データの処理を繰り返して実行することを特徴とする請求項１１に記載の画像形成方法。
【請求項１３】
原稿を画像として読み取って画像データを取得する取得ステップと、
前記画像データを多値グレイスケールデータまたは２値データのいずれとして処理するかを原稿の読取開始前に指定可能とするモノクロ指定ステップと、
原稿から読み取った画像データの利用目的を指定する利用目的指定ステップと、
読み取った原稿がカラーかモノクロかを判別する判別ステップと、
前記判別ステップで読み取った原稿をモノクロと判別した場合で、指定された利用目的が所定の利用目的である場合は、その利用目的に対応して前記画像データを多値グレイスケールデータまたは２値データのいずれとして処理するかを決定して処理する第１のモノクロデータ処理ステップと
前記判別ステップで読み取った原稿をモノクロと判別した場合で、指定された利用目的が前記所定の利用目的と異なる場合は、前記画像データを前記モノクロ指定ステップで指定したデータとして処理する第２のモノクロデータ処理ステップと
を備えたことを特徴とする画像形成方法。
【請求項１４】
原稿を画像として読み取って画像データを取得する取得ステップと、
読み取った原稿がカラーかモノクロかを判別する判別ステップと、
読み取った原稿に含まれるテキストデータと写真データのそれぞれの割合を解析するレイアウト解析ステップと、
前記判別ステップで読み取った原稿をモノクロと判別した場合に、前記レイアウト解析した結果の前記割合に基づいて、前記画像データを多値グレイスケールデータまたは２値データのいずれとして処理するかを決定して処理するモノクロデータ処理ステップと
を備えたことを特徴とする画像形成方法。
【請求項１５】
原稿を画像として読み取って画像データを取得する取得ステップ、
前記画像データを多値グレイスケールデータまたは２値データのいずれとして処理するかを原稿の読取開始前に指定可能とするモノクロ指定ステップ、
読み取った原稿がカラーかモノクロかを判別する判別ステップ、
前記判別ステップで読み取った原稿をモノクロと判別した場合に、前記画像データを前記モノクロ指定ステップで指定したデータとして処理するモノクロデータ処理ステップ
をコンピュータに実行させるためのプログラム。
【発明の詳細な説明】
【技術分野】
【０００１】
本発明は、ＡＣＳモードで読み取った結果でモノクロと判断された場合、２値化データ、グレイスケールデータのいずれで処理するかを利用目的などに柔軟に対応して処理することのできる画像形成技術に関する。
【背景技術】
【０００２】
画像形成装置において、読み取った原稿がカラーかまたはモノクロかを自動的に判別して、それぞれに適したモード（カラーまたはモノクロ）で画像を処理して出力するＡＣＳ（Auto Color Selection）が採用されているものがある。
【０００３】
特許文献１に開示された画像形成装置では、読み取れた画像データ若しくは、コンピュータから送られた出力データによりデータを出力し、且つ、カラーデータの有無を検出する手段とを有し、そのデータにカラーデータが含まれているか否かを判断し、カラーデータが含まれていない場合には、モノクロモードにて出力し、カラーデータが含まれている場合には、モノクロモードでの出力を行うか又はカラーモードでの出力を行うかをユーザに問合せ、ユーザによって選択されたモードに従って、一部若しくは、全部をモノクロモードでの出力又はカラーモードで出力する。
【特許文献１】特開２００２−１６５１０２号公報
【発明の開示】
【発明が解決しようとする課題】
【０００４】
しかしながら、従来の画像形成装置では、ＡＣＳモードで読み取った結果、モノクロと判定された場合は、画像データは白黒の２値化データとして処理されていた。そのため、グレイスケールの画像データとして処理したい場合は、改めて原稿をグレイスケールモードで読み取る必要があり、操作の繰り返しが発生していた。  
ところで近年普及している画像形成装置は、原稿を読み取って得られた画像データを印刷する機能だけでなく、ＦＡＸによる画像送信機能、Ｅメールによる画像送信機能などの多種の出力機能、そして、これらの複数機能を一度の読み取りに付随して実行するマルチエージェント機能など多彩な機能を備えている。さらに読み取る原稿も多様化し、カラーまたはモノクロの原稿だけでなく、写真を用いた原稿も普通に使用されている。
【０００５】
このように画像形成装置の利用方法が多様化した結果、改めて原稿を所望のモードで読み取る処理を実行するケースも多様化しており、従来と比べて操作の繰り返しが更に増大している。
【０００６】
本発明はかかる事情に鑑みてなされたものであって、ＡＣＳモードで読み取った結果でモノクロと判断された場合、２値化データ、グレイスケールデータのいずれで処理するかを利用目的などに柔軟に対応して処理することのできる画像形成装置、画像形成方法及びプログラムを提供することを目的とする。
【課題を解決するための手段】
【０００７】
上記課題を解決するための本発明に係る画像形成装置は、原稿を画像として読み取って画像データを取得する取得手段と、前記画像データを多値グレイスケールデータまたは２値データのいずれとして処理するかを原稿の読取開始前に指定可能とするモノクロ指定手段と、読み取った原稿がカラーかモノクロかを判別する判別手段と、前記判別手段が読み取った原稿をモノクロと判別した場合に、前記画像データを前記モノクロ指定手段が指定したデータとして処理するモノクロデータ処理手段とを備えた画像形成装置である。
【０００８】
また本発明に係る画像形成方法は、原稿を画像として読み取って画像データを取得する取得ステップと、前記画像データを多値グレイスケールデータまたは２値データのいずれとして処理するかを原稿の読取開始前に指定可能とするモノクロ指定ステップと、読み取った原稿がカラーかモノクロかを判別する判別ステップと、前記判別ステップで読み取った原稿をモノクロと判別した場合に、前記画像データを前記モノクロ指定ステップで指定したデータとして処理するモノクロデータ処理ステップとを備えた画像形成方法である。
【０００９】
また本発明に係るプログラムは、原稿を画像として読み取って画像データを取得する取得ステップ、前記画像データを多値グレイスケールデータまたは２値データのいずれとして処理するかを原稿の読取開始前に指定可能とするモノクロ指定ステップ、読み取った原稿がカラーかモノクロかを判別する判別ステップ、前記判別ステップで読み取った原稿をモノクロと判別した場合に、前記画像データを前記モノクロ指定ステップで指定したデータとして処理するモノクロデータ処理ステップをコンピュータに実行させるプログラムである。
【発明の効果】
【００１０】
本発明の画像形成装置、画像形成方法及びプログラムによれば、ＡＣＳモードで読み取った結果でモノクロと判断された場合、２値化データ、グレイスケールデータのいずれで処理するかを利用目的などに柔軟に対応して処理することができるため、読取操作の繰り返しを低減することができる。
【発明を実施するための最良の形態】
【００１１】
〔第１の実施の形態〕  
以下、図面を参照して、本発明の実施の形態の一例について説明する。  
図１は、本発明が適用可能な画像形成装置の概略の形状を示す斜視図である。
【００１２】
画像形成装置１０１には、画像形成部本体１、用紙供給部３、画像読取部５、自動原稿送り装置７及びＬＣＤ８を備えた操作パネル９が設けられている。  
画像形成部本体１は、画像情報を、例えばハードコピーもしくはプリントアウトと称される出力画像として出力する。用紙供給部３は、画像形成部本体１に対して画像出力に用いられる任意サイズの用紙（出力媒体）を供給する。画像読取部５は、原稿から画像情報を画像データとして取り込む。自動原稿送り装置７は、読み取りが終了した原稿を読み取り位置から排出位置に排出し、次の原稿を読み取り位置に案内する。操作パネル９は、画像形成部本体１における画像形成の開始や、画像読取部５による原稿の画像情報の読み取りの開始など画像形成装置１０１の動作を指示するための指示入力部である。この操作パネル９には、指示を入力し、操作者に対して情報を表示するためのＬＣＤ８が設けられている。  
さらに画像形成装置１０１は、不図示のネットワーク、通信回線と接続して、ＦＡＸ、Ｅｍａｉｌなどによって画像データを受信することが可能である。
【００１３】
図２は、本発明に係る画像形成装置１０１の構成例を示すブロック図である。  
画像形成装置１０１は、上述の画像読取部５、ＬＣＤ８及び操作パネル９と共に、更にＣＰＵ１０、ＲＯＭ１１、メインメモリ１２、画像圧縮伸張部１３、画像印刷部１４、画像メモリ部１５、ＰＣ／ＩＦ制御部１６、ネットワーク制御部１７、回線制御部１８、内部記憶装置（ＨＤＤ）１９、外部記憶装置インターフェース２０、外部記憶装置２１、ページメモリ２３、スキャナ画像処理ＡＳＩＣ２４及びシステム画像処理ＡＳＩＣ２５を備えている。そして、これらの各部はシステムバス２２を介して接続されている。
【００１４】
ＣＰＵ１０は、システムバス２２を介して接続される上述のハードウェア各部を制御する。ＲＯＭ１１は、画像形成装置１０１が動作するために必要な種々の制御プログラムを記憶する。メインメモリ１２は、制御プログラムの実行時に発生するデータを一時的に記憶するバッファメモリである。  
画像圧縮伸張部１３は、画像読取部５で読み取った画像データを保存するために指定されたフォーマット（例えば、ＪＰＥＧ、ＰＤＦ、高圧縮ＰＤＦ、ＴＩＦＦなど）のドキュメントファイルに変換する。画像印刷部１４は、画像を用紙に出力する。画像メモリ部１５は、読み取られまたは送信された画像データを保存する。
【００１５】
ＰＣ／ＩＦ制御部１６は、ＰＣ（パーソナルコンピュータ）などの情報端末との間で情報の授受を行うためのインターフェースである。ネットワーク制御部１７は、インターネットなどのネットワークを介して情報の授受を行うためのインターフェースである。回線制御部１８は、公衆電話回線網ＰＳＴＮを介して外部装置（不図示）との間でのファクシミリ通信を行うためのインターフェースである。  
内部記憶装置１９は、画像形成装置１０１の内部に設置されているＨＤＤ等の記憶媒体である。外部記憶装置インターフェース２０は、着脱自在な外部記憶装置２１とデータの授受を行うと共にその動作状態などを取込むためのインターフェースである。  
ページメモリ２３は、読み取られた画像データを一時的に保存するバッファメモリである。スキャナ画像処理ＡＳＩＣ２４は、読み取った画像データのＲＧＢデータをＹＣｒＣｂデータに変換する。システム画像処理ＡＳＩＣ２５は、画像データを圧縮する。
【００１６】
図３は、操作パネル９の入力ボタンの配置を示す図である。  
操作パネル９には、スキャンジョブモードを設定する複数の入力ボタンと、ＡＣＳモノクロモードを設定する複数の入力ボタン、及びＡＣＳスキャン動作を開始するスキャンボタン９ａが設けられている。
【００１７】
スキャンジョブモードの設定では、スキャンした画像データを取り扱う方法を指定することができる。スキャンジョブモードを設定する複数の入力ボタンには、Ｅメールボタン９ｂ、ＦＴＰボタン９ｃ、ファイリングボタン９ｄが設けられている。  
Ｅメールボタン９ｂを選択すると、読み取った画像データを通信回線を介して指定されたＥメールアドレスに送信することができる。ＦＴＰボタン９ｃを選択すると、読み取った画像データをインターネット通信を介して指定されたアドレスに送信することができる。ファイリングボタン９ｄを選択すると、読み取った画像データを指定されたファイリングボックスに保管することができる。  
なお、このスキャンジョブモードの設定に係る入力ボタンは、複数選択することができる。即ち、１回のスキャン動作によって処理する複数のジョブを指定することができる。
【００１８】
ＡＣＳモノクロモードの設定では、読み込んだ原稿がＡＣＳによりモノクロであると判断された場合の処理方法を設定することができる。ＡＣＳモノクロモードを設定する複数の入力ボタンには、Ｂ／Ｗボタン９ｅ、グレイスケールボタン９ｆ、原稿解析ボタン９ｇが設けられている。  
Ｂ／Ｗボタン９ｅを選択すると、読み込んだ電子データを２値化データに変換する。グレイスケールボタン９ｆを選択すると、読み込んだ電子データをグレイスケールデータに変換する。原稿解析ボタン９ｇを選択すると、読み込んだ原稿の種類に応じて電子データを２値化データまたはグレイスケールデータに変換する。  
なお、このＡＣＳモノクロモードの設定に係る入力ボタンは、いずれか一つを選択することができる。
【００１９】
図４、図５は、ＡＣＳスキャンの概略の手順を示すフロー図である。図６〜図９は、ＡＣＳスキャンに関する画像データのフローを示す図である。以下、図４〜図９を参照しつつＡＣＳスキャンの動作について説明する。
【００２０】
図４のステップＳ０１において、操作者が操作パネル９のスキャンボタン９ａを押下すると、ＡＣＳスキャンが開始される。  
図６において、画像読取部５は原稿を読み取ってＲ（赤），Ｇ（緑），Ｂ（青）で表されるカラーの画像データを生成して、スキャナ画像処理ＡＳＩＣ２４に出力する。スキャナ画像処理ＡＳＩＣ２４では、Ｒ（赤），Ｇ（緑），Ｂ（青）で表されるカラーの画像データをＹ，Ｃｂ，Ｃｒに色変換し、変換した画像データをページメモリ２３に保存する。  
ページメモリ２３には、メモリが２面設けられているが、これはスキャナ画像処理ＡＳＩＣ２４からの受入れ動作と、次段の処理への受け渡し動作を調整するためのバッファの役割を持たせるためである。
【００２１】
ページメモリ２３から読み出された画像データは、回転処理部３１に入力する。操作者が操作パネル９から画像の回転操作(不図示)を指定したときは、回転処理部３１が指定された角度（９０°／１８０°／２７０°）だけ画像を回転する。なお、この回転操作においては、ページメモリ２３に設けられたブロックバッファを作業エリアとして使用する。
【００２２】
回転処理部３１から読み出された画像データは、ＤＭＡ処理部３２を介してメインメモリ１２にＤＭＡ（Dynamic Memory Access）方式で記録される。なお、上述の動作と並行して、ＡＣＳ処理部（不図示）はページメモリ２３から画像データが読み出される前に、当該原稿がカラーかモノクロかを判定する。ＤＭＡ処理部３２は、ＡＣＳ処理部の判定結果に従って画像データをメインメモリ１２のカラー用あるいはモノクロ用のブロックバッファに転送する。なお、ブロックバッファがそれぞれ２面設けられているのは、ＤＭＡ処理部３２からの受入れ動作と、次段の処理への受け渡し動作を調整するためのバッファの役割を持たせるためである。
【００２３】
〔カラー処理〕  
図４に戻り、ステップＳ０２においてＡＣＳ処理部の判定結果を調べる。ＡＣＳ処理部がカラー原稿であると判定した場合は、図５のステップＳ２０が実行される。  
図５のステップＳ２０においてＹｅｓの場合、即ち操作者が操作パネル９からサムネイル生成モード（不図示）を指定していたときは、ステップＳ２１において原画像からサムネイル画像データを生成する。ステップＳ２２おいて、そのサムネイル画像データを圧縮してサムネイルファイルを生成し、ステップＳ２３において内部記憶装置１９に保存する。  
図７に示す画像データフローでは、メインメモリ１２のカラー用バッファメモリから取り出された画像データは、縮小タスク３３によってサムネイル画像データに縮小変換され、さらにサムネイル画像用の圧縮処理が施される。そして、メインメモリ１２のバッファを介して内部記憶装置１９に保存される。
【００２４】
図５に戻り、続いてステップＳ２４において、原画像データを圧縮した後、ステップＳ２５において生成した画像ファイルを保存しＡＣＳスキャンを終了する。  
図７に示す画像データフローでは、メインメモリ１２のブロックバッファから原画像データが読み出され、システム画像ＡＳＩＣ２５がＪＰＥＧ形式に圧縮する。圧縮された画像ファイルはメインメモリ１２のブロックバッファを介して内部記憶装置１９に保存される。なお、メインメモリ１２のブロックバッファ、及びバッファがそれぞれ２面設けられているのは、受入れ動作と、次段の処理への受け渡し動作を調整するためのバッファの役割を持たせるためである。
【００２５】
〔モノクロ処理〕  
図４に戻り、ステップＳ０２においてＡＣＳ処理部の判定結果を調べる。ＡＣＳ処理部がモノクロ原稿であると判定した場合は、ステップＳ０３において、カラー画像データからグレイスケール画像データへの変換が行われる。  
図１０は、カラー画像データからグレイスケール画像データへの変換を説明する図である。  
図１０の（１）は、ＲＧＢカラー画像データの２つの画素（２×２）の配列を表し、図１０の（２）は、ＹＣｂＣｒカラー画像データの２つの画素の配列を表している。  
図１０の（３）は、グレイスケールに変換した２つの画素の配列を表している。
【００２６】
〔モノクロ処理：ＦＴＰ、ファイリング〕  
図４のステップＳ０４において、操作者が操作パネル９のスキャンジョブモードで設定したモードを調べる。  
操作者がＦＴＰボタン９ｃまたはファイリングボタン９ｄを指定していた場合は、ステップＳ０５において、操作者が操作パネル９のＡＣＳモノクロモード設定において設定したモードを調べる。
【００２７】
〔モノクロ処理：グレイスケールモード〕  
ステップＳ０５においてＹｅｓの場合、即ち操作者が操作パネル９のグレイスケールボタン９ｆを指定していたときは、図５のステップＳ２０を実行する。  
図５のステップＳ２０において、操作者が操作パネル９からサムネイル生成モード（不図示）を指定していたときは、ステップＳ２１において原画像からサムネイル画像データを生成する。ステップＳ２２において、そのサムネイル画像データを圧縮してサムネイルファイルを生成し、ステップＳ２３において内部記憶装置１９に保存する。  
図８に示す画像データフローでは、メインメモリ１２のモノクロ用ブロックバッファから取り出された画像データは、Ｙ成分抽出＆並び替えタスク３５によってグレイスケールに変換されメインメモリ１２のブロックバッファに送られる。
【００２８】
メインメモリ１２のブロックバッファから取り出されたグレイスケールの画像データは、縮小タスク３３によってサムネイル画像データに縮小変換され、さらにサムネイル画像用の圧縮処理が施される。そして、ファイルアクセスライブラリ３６のバッファを介して内部記憶装置１９に保存される。
【００２９】
図５に戻り、続いてステップＳ２４において、グレイスケールの画像データを圧縮した後、ステップＳ２５において生成した画像ファイルを保存する。そして、ＡＣＳスキャン処理を終了する。  
図８に示す画像データフローでは、メインメモリ１２のブロックバッファからグレイスケールの画像データが読み出され、システム画像処理ＡＳＩＣ２５がＪＰＥＧ形式に圧縮する。圧縮された画像ファイルはファイルアクセスライブラリ３６のブロックバッファを介して内部記憶装置１９に保存される。なお、ファイルアクセスライブラリ３６のブロックバッファ、及びバッファがそれぞれ２面設けられているのは、受入れ動作と、次段の処理への受け渡し動作を調整するためのバッファの役割を持たせるためである。
【００３０】
〔モノクロ処理：Ｂ／Ｗモード〕  
図４に戻り、ステップＳ０５において、操作者が操作パネル９のＢ／Ｗボタン９ｅを指定していたときは、ステップＳ０６において、グレイスケールからＢ／Ｗへの変換処理を実行する。  
図９に示す画像データフローでは、メインメモリ１２のモノクロ用ブロックバッファから取り出された画像データは、Ｙ成分抽出＆並び替えタスク３５によってグレイスケールに変換されメインメモリ１２のブロックバッファに送られる。  
メインメモリ１２のブロックバッファから取り出されたグレイスケールの画像データは、誤差拡散＆２値化タスク３７によって２値化画像データに変換され、メインメモリ１２のブロックバッファに格納される。
【００３１】
図５に戻り、ステップＳ２０においてＹｅｓの場合、即ち操作者が操作パネル９からサムネイル生成モード（不図示）を指定していたときは、ステップＳ２１においてグレイスケール画像データからサムネイル画像データを生成する。ステップＳ２２において、そのサムネイル画像データを圧縮し、ステップＳ２３において、サムネイルファイルを生成して内部記憶装置１９に保存する。  
図９に示す画像データフローでは、メインメモリ１２のブロックバッファから取り出されたグレイスケールの画像データは、縮小タスク３３によってサムネイル画像データに縮小変換され、さらにサムネイル画像用の圧縮処理が施される。そして、ファイルアクセスライブラリ３６のバッファを介して内部記憶装置１９に保存される。
【００３２】
図５に戻り、続いてステップＳ２４において、２値化画像データを圧縮した後、ステップＳ２５において生成した画像ファイルを保存する。そして、ＡＣＳスキャン処理を終了する。  
図９に示す画像データフローでは、メインメモリ１２のブロックバッファから２値化の画像データが読み出され、システム画像処理ＡＳＩＣ２５がＭＭＲ形式に圧縮する。このＭＭＲ形式は２値化画像データの圧縮に適した形式である。圧縮された画像ファイルはファイルアクセスライブラリ３６のブロックバッファを介して内部記憶装置１９に保存される。なお、ファイルアクセスライブラリ３６のブロックバッファ及びバッファがそれぞれ２面設けられているのは、受入れ動作と、次段の処理への受け渡し動作を調整するためのバッファの役割を持たせるためである。
【００３３】
〔モノクロ処理：原稿解析モード〕  
図４に戻り、ステップＳ０５において、操作者が操作パネル９の原稿解析ボタン９ｇを指定していたときは、ステップＳ１５において、原稿レイアウト解析を実行する。  
原稿レイアウト解析では、原稿中に占めるテキストデータと写真データとのそれぞれの割合が調べられる。そして、その割合に対応して原稿をテキスト原稿として取り扱うか、写真原稿として取り扱うかを決定する。  
例えば、写真データが所定の割合以上に存在する場合は写真原稿と判断し、写真データが所定の割合よりも少ない場合はテキスト原稿と判断することもできる。
【００３４】
ステップＳ１６において、原稿がテキスト原稿と判断されたときは、ステップＳ０６において、グレイスケールからＢ／Ｗへの変換処理を実行する。  
なお、このステップＳ０６以降の処理は上述のＢ／Ｗモード処理と同様の処理であるためその詳細の説明は省略する。
【００３５】
ステップＳ１６において、原稿が写真原稿と判断されたときは、図５のステップＳ２０において、操作者が操作パネル９からサムネイル生成モード（不図示）を指定していたかどうかを調べる。  
なお、このステップＳ２０以降の処理は上述のグレイスケールモード処理と同様の処理であるためその詳細の説明は省略する。
【００３６】
〔モノクロ処理：Ｅメールモード〕  
図４に戻り、ステップＳ０４において、操作者が操作パネル９のスキャンジョブモードで設定したモードを調べる。  
操作者がＥメールボタン９ｂを指定していた場合は、ステップＳ１０において、グレイスケールからＢ／Ｗへの変換処理を実行する。  
なお、このステップＳ１０以降の処理は上述のＢ／Ｗモード処理と同様の処理であるためその詳細の説明は省略する。
【００３７】
なお、図３に示した操作パネルのスキャンジョブモードを複数設定した場合は、そのジョブ毎に上述の図４〜図９の処理を繰り返して実行する。
【００３８】
なお、図３に示した操作パネルのスキャンジョブモード、ＡＣＳモノクロモード設定に係る入力ボタンの種類は上述の実施の形態に限定されず、種々のジョブを指定可能とすることができる。例えば、スキャンジョブモードとして、ファイルをパソコンで参照させる、ＯＣＲに入力するなどを指定することもできる。また、ＡＣＳモノクロモード設定も、その種々のジョブと対応させて指定することができる。  
即ち、本発明に係る実施の形態では、ジョブの利用目的、原稿種別に対応して予めファイルフォーマットを多値グレイスケールデータとして処理するか、２値Ｂ／Ｗデータとして処理するかを設定でき、また自動で適切な処理内容を判断することを表している。
【００３９】
〔実施の形態の効果〕  
以上説明したように、本実施の形態の画像形成装置及び画像形成方法によれば、所望の効果を奏することができる。  
本実施の形態は以下のように述べることができる。
【００４０】
（１）所定の利用目的の場合は、ＡＣＳモードでスキャンした結果モノクロと判定されたときに、保存するファイルフォーマットを多値グレイスケールデータとして処理するか、２値Ｂ／Ｗデータとして処理するかを、予めスキャンジョブ実行前に指定可能とする。
【００４１】
（２）所定の利用目的の場合は、ＡＣＳモードでスキャンした結果モノクロと判定されたときに、保存するファイルフォーマットを多値グレイスケールデータとして処理するか、２値Ｂ／Ｗデータとして処理するかを自動で判断する。  
例えば、Ｅメール送信に使用する場合では、メールサーバの負荷を低減させるためにデータ量の少ない２値データとして処理し、大量のファイルサーバに保存する場合はデータ量の多い多値グレイスケールデータとして処理するといった利用方法が可能となる。
【００４２】
（３）ＯＣＲ前段処理のレイアウト解析を行った結果から、ファイルフォーマットを多値グレイスケールデータとして処理するか、２値Ｂ／Ｗデータとして処理するかを自動で判断する。  
実施の形態の他に、例えば、原稿のほとんどがテキストデータとして解析されたページは２値Ｂ／Ｗデータとして処理する。逆に原稿のほとんどが写真データと解析されたページは多値グレイスケールデータとして処理するといった利用方法が可能となる。
【００４３】
（４）１回のユーザ操作により複数のジョブを実行するマルチエージェントジョブの実行時には、それぞれのジョブに合わせて画像の変換を行う。    
例えば、１つ目のジョブは２値Ｂ／Ｗデータとして処理し、もう一つのジョブは多値グレイスケールデータとして処理するといった利用方法が考えられる。
【００４４】
従って、これらの機能を利用することにより、読取操作の繰り返しを低減することができる。
【００４５】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００４６】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００４７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４８】
【図１】本発明が適用可能な画像形成装置の概略の形状を示す斜視図。
【図２】画像形成装置の構成例を示すブロック図。
【図３】操作パネルの入力ボタンの配置を示す図。
【図４】ＡＣＳスキャンの概略の手順を示すフロー図。
【図５】ＡＣＳスキャンの概略の手順を示すフロー図。
【図６】ＡＣＳスキャンに関する画像データのフローを示す図。
【図７】ＡＣＳスキャンに関する画像データのフローを示す図。
【図８】ＡＣＳスキャンに関する画像データのフローを示す図。
【図９】ＡＣＳスキャンに関する画像データのフローを示す図。
【図１０】カラー画像データからグレイスケール画像データへの変換を説明する図。
【符号の説明】
【００４９】
１…画像形成部本体、５…画像読取部、８…ＬＣＤ、９…操作パネル、９ａ…スキャンボタン、９ｂ…Ｅメールボタン、９ｃ…ＦＴＰボタン、９ｄ…ファイリングボタン、９ｅ…Ｂ／Ｗボタン、９ｆ…グレイスケールボタン、９ｇ…原稿解析ボタン、１０…ＣＰＵ、１３…画像圧縮部、１６…ＰＣ／ＩＦ制御部、１７…ネットワーク制御部、１８…回線制御部、２０…外部記憶装置インターフェース、２１…外部記憶装置、２４…スキャナ画像処理ＡＳＩＣ、２５…システム画像処理ＡＳＩＣ、１０１…画像形成装置。
【図１】
2007266921.tif 000003
【図２】
2007266921.tif 000004
【図３】
2007266921.tif 000005
【図４】
2007266921.tif 000006
【図５】
2007266921.tif 000007
【図６】
2007266921.tif 000008
【図７】
2007266921.tif 000009
【図８】
2007266921.tif 000010
【図９】
2007266921.tif 000011
【図１０】
2007266921.tif 000012